(57)【要約】【課題】  カフ帯の空気袋と血圧計本体との接続を確実に実施できること。【解決手段】  空気袋１９を外袋３１に内蔵し、手首に巻き付けられるカフ帯１２と、手首の拍動部側に合致する湾曲面形状に形成されると共に、外側にマウント部２２を備え、空気袋を内周側に配設した状態でカフ帯の外袋に芯材として内包されるカフスプリング１３と、カフスプリングのマウント部に取付られ、空気袋へ空気を送給する加圧ポンプを備えた血圧計本体１１とを有する手首用血圧計１０において、カフスプリングには、空気袋から延びる連通管３２、３３を係止して、これらの連通管の移動を規制する係止部４２が設けられたものである。【選択図】            図２
2006158543.tif 000002
【特許請求の範囲】
【請求項１】
空気袋を外袋に内蔵し、手首に巻き付けられるカフ帯と、
手首の拍動部側に合致する湾曲面形状に形成されると共に、外側にマウント部を備え、上記空気袋を内周側に配設した状態で上記カフ帯の上記外袋に芯材として内包されるカフスプリングと、
上記カフスプリングの上記マウント部に取り付けられ、上記空気袋へ空気を送給する加圧ポンプを備えた血圧計本体と、を有する手首用血圧計において、
上記カフスプリングには、上記空気袋から延びる連通管を係止して、この連通管の移動を規制する係止部が設けられたことを特徴とする手首用血圧計。
【請求項２】
上記カフ帯において、カフスプリングの内側に配設された空気袋が外袋に固定して設けられたことを特徴とする請求項1に記載の手首用血圧計。
【請求項３】
手首用血圧計のカフ帯の芯材として用いられるカフスプリングであって、
板状弾性体が手首の拍動部側に合致する湾曲面形状に形成されると共に、内周側に配設された空気袋から延びる連通管を係止して、その連通管の移動を規制する係止部が設けられたことを特徴とするカフスプリング。
【請求項４】
空気袋が外袋に内蔵されると共に、請求項３に記載のカフスプリングが、内周側に上記空気袋を配設した状態で上記外袋に芯材として内包され、手首に巻き付けられるカフ帯と、
上記カフ帯と別体に設けられて、上記空気袋へ連通管を介して空気を送給する加圧ポンプを備えた血圧計本体と、を有することを特徴とする手首用血圧計。
【発明の詳細な説明】
【技術分野】
【０００１】
本発明は、手首に装着して血圧測定が可能な手首用血圧計、及びその手首用血圧計のカフ帯の芯材として用いられるカフスプリングに関する。
【背景技術】
【０００２】
従来の血圧計は、一般的に、上腕にカフ帯を装着して血圧の測定を行うものが主流であったが、血圧の測定をオシロメトリック法で行う血圧計が実用に供されるに従い、特許文献１に記載の血圧計の如く、手首で血圧測定を行えるようにしたものが提案されている。
【０００３】
この血圧計５０は、図６に示すように、手首に巻き付けるカフ帯５２を血圧計本体５１に一体化したものである。カフ帯５２の内側に空気袋５４が配設され、血圧計本体５１の加圧ポンプから空気袋５４へ空気を送給してこれを膨張することにより、手首内を通る動脈を圧迫し、空気袋５４内が減圧される過程で、血圧計本体５１の圧力センサにより空気袋５４内の圧力脈動を検出して、血圧を測定する。
【０００４】
上記カフ帯５２には、手首の拍動部側に合致する湾曲面形状のカフスプリング５３が芯材として内包されている。上記空気袋５４は、カフスプリング５３の内側に配設されている。従って、空気袋５４から延びる連通管５５、５６は、カフスプリング５３に形成された挿通口５７、５８をそれぞれ挿通して血圧計本体５１内へ至る。つまり、連通管５５は、血圧計本体５１の加圧ポンプ６及び減圧制御弁に接続され、連通管５６は、血圧計本体５１の圧力センサに接続される。
【特許文献１】特開平１１‐２９９７４８号公報
【発明の開示】
【発明が解決しようとする課題】
【０００５】
ところが、上述のような血圧計５０では、空気袋５４の膨張・収縮が繰り返されることによって、空気袋５４の連通管５５及び５６と血圧計本体５１との接続が不完全になり、これら連通管５５及び５６の接続箇所から空気が漏出して、血圧を正確に測定できない恐れがある。
【０００６】
本発明の目的は、上述の事情を考慮してなされたものであり、カフ帯の空気袋と血圧計本体との接続を確実に実施できる手首用血圧計、及びその手首用血圧計のカフ帯の芯材として用いられるカフスプリングを提供することにある。
【課題を解決するための手段】
【０００７】
請求項１に記載の発明に係る手首用血圧計は、空気袋を外袋に内蔵し、手首に巻き付けられるカフ帯と、手首の拍動部側に合致する湾曲面形状に形成されると共に、外側にマウント部を備え、上記空気袋を内周側に配設した状態で上記カフ帯の上記外袋に芯材として内包されるカフスプリングと、上記カフスプリングの上記マウント部に取り付けられ、上記空気袋へ空気を送給する加圧ポンプを備えた血圧計本体と、を有する手首用血圧計において、上記カフスプリングには、上記空気袋から延びる連通管を係止して、この連通管の移動を規制する係止部が設けられたことを特徴とするものである。
【０００８】
請求項２に記載の発明に係る手首用血圧計は、請求項1に記載の発明であって、上記カフ帯において、カフスプリングの内側に配設された空気袋が外袋に固定して設けられたことを特徴とするものである。
【０００９】
請求項３に記載の発明に係るカフスプリングは、手首用血圧計のカフ帯の芯材として用いられるカフスプリングであって、板状弾性体が手首の拍動部側に合致する湾曲面形状に形成されると共に、内周側に配設された空気袋から延びる連通管を係止して、その連通管の移動を規制する係止部が設けられたことを特徴とするものである。
【００１０】
請求項４に記載の発明に係る手首用血圧計は、空気袋が外袋に内蔵されると共に、請求項３に記載のカフスプリングが、内周側に上記空気袋を配設した状態で上記外袋に芯材として内包され、手首に巻き付けられるカフ帯と、上記カフ帯と別体に設けられて、上記空気袋へ連通管を介して空気を送給する加圧ポンプを備えた血圧計本体と、を有することを特徴とするものである。
【発明の効果】
【００１１】
請求項１に記載の発明によれば、カフスプリングには、空気袋から延びる連通管を係止して、この連通管の移動を規制する係止部が設けられている。上記空気袋の連通管は、血圧計本体の加圧ポンプ、減圧制御弁、圧力センサなどに接続されるが、この連通管がカフスプリングの係止部に係止されてその移動が規制されることで、空気袋が膨張・収縮を繰り返しても、連通管と加圧ポンプなどとの接続が不完全になることを防止でき、この結果、空気袋と血圧計本体との接続を確実に実施できる。
【００１２】
また、請求項１に記載の発明によれば、カフスプリングには、空気袋から延びる連通管を係止して、この連通管の移動を規制する係止部が設けられていることから、空気袋がカフ帯の外袋に固定されて、カフ帯の開操作時にこのカフ帯の開方向に引っ張られ、空気袋の連通管に血圧計本体から離れる方向の力が作用しても、この連通管の移動がカフスプリングの係止部により規制されるので、連通管と血圧計本体の加圧ポンプ、減圧制御弁、圧力センサなどとの接続が不完全になることを防止できる。この結果、この場合にも、空気袋と血圧計本体との接続を確実に実施できる。
【００１３】
更に、請求項１に記載の発明によれば、空気袋から延びる連通管がカフスプリングの係止部に係止されて、この連通管の移動が規制されることから、カフ帯に血圧計本体を取り付ける際に、空気袋の連通管がカフ帯の外袋から突出した状態を保持できるので、この連通管と血圧計本体との接続を容易に実施でき、従って、血圧計本体とカフ帯との取付性を向上させることができる。
【００１４】
請求項２に記載の発明によれば、カフ帯において、カフスプリングの内側に配設された空気袋が外袋に固定して設けられたことから、カフ帯の開操作時に、外袋と共に空気袋がカフ帯の開方向に引っ張られるので、これらの外袋と空気袋との間に配置されるカフスプリングの剛性が高い場合にも、このカフスプリングをカフ帯の開方向に良好に移動させることができ、カフ帯の開操作を円滑に実施できる。
【００１５】
請求項３に記載の発明によれば、請求項1または２に記載の手首用血圧計のカフスプリングを得ることができる。
【００１６】
請求項４に記載の発明によれば、カフ帯と血圧計本体とを別体とした手首用血圧計を得ることができる。
【発明を実施するための最良の形態】
【００１７】
以下、本発明を実施するための最良の形態を、図面に基づき説明する。
図１は、本発明に係る手首用血圧計の一実施の形態を示す斜視図である。図２は、図１のII‐II線に沿う断面図である。
【００１８】
図１に示す手首用血圧計１０は、血圧計本体１１にカフ帯１２が取り付けられたものであり、手首１にカフ帯１２を巻き付けることで、血圧計本体１１を手首１に装着し、オシロメトリック法を用いて手首１で血圧の測定を実施するものである。この手首用血圧計１０は、上記血圧計本体１１、上記カフ帯１２及びカフスプリング１３を有して構成される。
【００１９】
上記血圧計本体１１は、図１に示すように、開口部が互いに接合される上ケース１４と下ケース１５内に、図示しない加圧ポンプ、減圧制御弁、圧力センサ、及びこれらを制御する制御手段など、血圧測定のための主要機構が収納されている。また、上ケース１４の上面に、液晶式の表示部１６、各種のスイッチ類１７が配置される。更に、血圧計本体１１の側方にバッテリ一１８が装着される。上記表示部１６に、測定された血圧や脈拍などが例えばデジタル表示される。
【００２０】
上記カフ帯１２は、図１及び図２に示すように、布製の外袋３１に空気袋１９が内蔵され、後述する湾曲面形状のカフスプリング１３が、空気袋１９を内周側に配設した状態で外袋３１に芯材として内包されたものである。このカフ帯１２は、図示しない面ファスナを用いて両側が接合され、手首１に巻き付けられて固定される。カフ帯１２が手首１に巻き付けられて固定された状態で、血圧計本体１１の加圧ポンプからカフ帯１２の空気袋１９へ空気が送給されて、手首１が空気圧により圧迫される。
【００２１】
上記カフスプリング１３は、図２、図３及び図４に示すように、可撓性を備えた合成樹脂などの板状弾性体にて構成され、手首１の拍動部側の少なくとも半周に合致する湾曲面形状に成形される。つまり、このカフスプリング１３は、周方向の一部が切除された切除部２１を有する断面楕円弧形状の略楕円筒体であり、切除部２１を拡げることで拡径され、切除部２１を狭めることで縮径可能に設けられる。
【００２２】
このカフスプリング１３の外周側には、切除部２１に対向する周方向略中央位置にマウント部２２が形成される。このマウント部２２は複数本の係止爪２３とねじ止め片２４とを備えて成り、これらの係止爪２３及びねじ止め片２４は、カフスプリング１３から切り起こされて、このカフスプリング１３に一体に成形される。血圧計本体１１の下ケース１５に係止爪２３が係止され、ねじ止め片２４がねじ止めされることで、血圧計本体１１がカフスプリング１３のマウント部２２に取り付けられる。
【００２３】
図３及び図４に示すように、カフスプリング１３のマウント部２２には、後に詳説する挿通口２５及び３５が形成される。これらの挿通口２５、３５に、空気袋１９から延びる連通管３２、３３がそれぞれ挿通される。
【００２４】
連通管３２は、血圧計本体２１内の加圧ポンプ及び減圧制御弁に接続され、加圧ポンプにより空気袋１９内へ所定圧力まで空気が圧入されて手首１を圧迫する。空気袋１９内に所定圧力まで圧入された空気は、減圧制御弁の作用で適宜排気される。連通管３３は、血圧計本体２１内の圧力センサに接続され、空気袋１９内の圧力変化が上記圧力センサにより検出される。この圧力センサは、特に、減圧制御弁により空気袋１９内が減圧される過程で、この空気袋１９内に発生する圧力脈動を検出する。この圧力脈動の変化のプロフィールからオシロメトリック法により最高血圧及び最低血圧などが算出され、図１に示す血圧計本体１１の表示部１６に表示される。
【００２５】
また、このカフスプリング１３には、切除部２１に対向する周方向略中央位置に、内側へ突出する例えばアーチ形状の突出部２６が、カフスプリング１３の軸方向に沿う全長に形成される。この突出部２６は、図２に示すように、カフ帯１２を手首１に巻き付けたとき、カフスプリング１３の周方向において、手首１の拍動部における略中央位置に位置付けられる。これにより、カフ帯１２の空気袋１９へ空気が送給されたとき、この空気袋１９は、カフスプリング１３の周方向において突出部２６を避け、この突出部２６を境とする両側部分で膨張し、手首１内で拍動部の中央両側にある２本の動脈（図示しない尺骨動脈及び橈骨動脈）を効果的に圧迫する。
【００２６】
カフスプリング１３の外周側におけるマウント部２２領域内には、突出部２６の外側に補強リブ２７が、当該突出部２６に一体に成形される。この補強リブ２７は、図３及び図４に示すように、カフスプリング１３の軸方向に所定間隔で複数枚設けられて突出部２６を含めたマウント部２２を補強し、このマウント部２２の剛性を増大させる。
【００２７】
更に、略楕円筒形状のカフスプリング１３には、その軸方向の任意の位置、本実施の形態では軸方向中央位置に、切除部２１からマウント部２２まで周方向に延びるスリット２８が、図５において左右対称に形成される。カフスプリング１３のマウント部２２及び突出部２６を除く部分は、これらのスリット２８によって、手側分割部分２９と腕側分割部分３０とに軸方向に分割され、これらの分割部分の曲率半径が異なって構成される。つまり、腕側分割部分３０の曲率半径は、手側分割部分２９の曲率半径よりも大きく構成される。これにより、手首１が手側から腕側へ徐々に太くなっていても、カフ帯１２のカフスプリング１３は、手首１の太さの変化に追従し、この手首１に適合（フィット）して、カフスプリング１３を内包するカフ帯１２と手首１との隙間が低減され、両者の密着性が高まる。
【００２８】
更に、図２に示すように、カフ帯１２の外袋３１における内側の布３６のうち、手首１に接触する領域（図２の符号Ｗの領域）の布が伸縮性の高い布地で構成されていることからも、カフ帯１２と手首１との密着性が高められている。
【００２９】
また、カフ帯１２のカフスプリング１３は、肉厚が厚く剛性が高められている他、前述のごとく、カフスプリング１３のマウント部２２に補強リブ２７が設けられて、このマウント部２２の剛性が特に高められている。このため、空気袋１９の膨張・収縮の影響を受けることなく、血圧計本体２１がカフスプリング１３のマウント部２２に安定して取り付けられると共に、空気袋１９の膨張に際しても、このカフスプリング１３のマウント部２２の変形が抑制される。
【００３０】
このようにカフ帯１２の密着性が高められ、且つカフスプリング１３の特にマウント部２２における剛性が高められたことによって、空気袋１９の膨張時における手首１の圧迫が適切となり、手首１の動脈の阻血性能が高められて、血圧の測定精度が向上する。
【００３１】
図１及び図２に示すように、カフ帯１２は、外袋３１の一方側にカフスプリング１３及び空気袋１９が収容され、カフ袋１２の他方側は、上記一方側に面ファスナ（不図示）などを用いて装着される装着代３８となっている。このカフ帯１２の外袋３１内においてカフスプリング１３の内側に配設される空気袋１９は、カフ帯１２の装着代３８側が封止線３９を隔てて空気が導入されない取付部４０となっている。
【００３２】
空気袋１９の上記取付部４０は、外袋３１において伸縮性の低い外側の布３７、及び外袋３１における内側の布３６のうち伸縮性の低い部分に縫い付けられて固定される。図２の符号４１は縫い付け箇所を示す。カフ帯１２の外袋３１内においてカフスプリング１３の内側に配設される空気袋１９における装着代３８側の取付部４０が、上述のように外袋３１に固定されることによって、カフ帯１２の装着代３８を巻き付け方向と反対の開方向Ａへ引っ張って当該カフ帯１２を開操作するとき、外袋３１と共に空気袋１９も同方向に移動することで、剛性の高いカフスプリング１３を良好に開操作することが可能となる。
【００３３】
図３及び図５に示すように、カフスプリング１３には、連通項２５、３５を臨む位置に係止部４２が形成されている。図４に示すように、挿通口２５側に設けられる係止部４２は、空気袋１９の連通管３２を係止してこの連通管３２の移動を規制し、また、挿通口３５側に設けられる係止部４２は、空気袋１９の連通管３３を係止してこの連通管３３の移動を規制する。
【００３４】
この係止部４２が空気袋１９の連通管３２及び３３を係止することにより、カフ帯１２の開操作時に空気袋１９が外袋３１と共に開方向Ａ(図２)へ移動し、この結果、空気袋１９の連通管３２及び３３に血圧計本体１１から離れる方向Ｂの力が作用しても、これら連通管３２及び３３の移動が規制される。更に、カフスプリング１３の係止部４２が空気袋１９の連通管３２及び３３を係止することによって、空気袋１９が膨張・収縮を繰り返すことによっても、空気袋１９の連通管３２及び３３と血圧計本体１９との接続が不完全になることが防止される。
【００３５】
次に、作用説明する。
カフ帯１２の装着代３８を開方向に引っ張って当該カフ帯１２を手首１に巻き付け、面ファスナなどを用いてカフ帯１２を手首１に固定する。このとき、カフ帯１２内のカフスプリング１３における突出部２６を手首１の拍動部側の中央位置に位置付け、カフ帯１２を手首１の拍動部に密着させた状態とする。そして、掌を上にして手を軽く開き、肘を机などの上面について手首１を心臓の高さとし、血圧計本体１１のスイッチ類１７をオン操作する。
【００３６】
すると、血圧計本体１１の加圧ポンプからカフ帯１２の空気袋１９へ連通管３２を介して空気が送給され、この空気袋１９が膨張して手首１の拍動部の動脈を圧迫する。この状態から血圧計本体１１の減圧制御弁の作用で空気袋１９内が減圧される過程で、空気袋１９の連通管３３に接続された血圧計本体１１の圧力センサにより、空気袋１９内の圧力脈動が検出され血圧が測定される。
【００３７】
以上のように構成されたことから、上記実施の形態によれば、次の効果（１）〜（４）を奏する。
（１）カフ帯１２のカフスプリング１３には、空気袋１９から延びる連通管３２及び３３を係止して、これらの連通管３２及び３３の移動を規制する係止部４２が設けられている。上記空気袋１９の連通管３２は、血圧計本体１１の加圧ポンプおよび減圧制御弁に接続され、空気袋１９の連通管３３は、血圧計本体１１の圧力センサに接続されるが、これらの連通管３２、３３がカフスプリング１３の係止部４２に係止されてその移動が規制されることで、空気袋１９が膨張・収縮を繰り返しても、この空気袋１９の連通管３２と血圧計本体１１の加圧ポンプおよび減圧制御弁との接続、並びに空気袋１９の連通管３３と血圧計本体１１の圧力センサとの接続が不完全になることを防止できる。この結果、空気袋が膨張・収縮を繰り返す場合にも、空気袋１９と血圧計本体１１との接続を確実に実施できる。
【００３８】
（２）カフスプリング１３には、空気袋１９から延びる連通管３２及び３３を係止して、この連通管３２及び３３の移動を規制する係止部４２が設けられたことから、空気袋１９の取付部４０がカフ帯１２の外袋３１に固定されて、空気袋１９がカフ帯１２の開操作時にこのカフ帯１２の開方向Ａへ引っ張られ、空気袋１９の連通管３２及び３３に血圧計本体１１から離れる方向Ｂの力が作用しても、これらの連通管３２及び３３の移動がカフスプリング１３の係止部４２により規制されるので、連通管３２と血圧計本体１１の加圧ポンプおよび減圧制御弁との接続、並びに連通管３３と血圧計本体１１の圧力センサとの接続が不完全になることを防止できる。この結果、この場合にも、空気袋１９と血圧計本体との接続を確実に実施でき、空気袋１９の連通管３２及び３３の接続部分から空気が漏出することを防止でき、更に、連通管３２及び３３が血圧計本体１１から完全に外れてしまう事態をも確実に回避できる。
【００３９】
（３）カフ帯１２の空気袋１９から延びる連通管３２及び３３がカフスプリング１３の係止部４２に係止されて、これらの連通管３２及び３３の移動が規制されることから、カフ帯１２に血圧計本体１１を取り付ける際に、空気袋１９の連通管３２及び３３がカフ帯１２の外袋３１から突出した状態を保持できる。このため、これらの連通管３２及び３３と血圧計本体１１との接続を容易に実施でき、従って、血圧計本体１１とカフ帯１２との取付性を向上させることができる。
【００４０】
（４）カフ帯１２において、カフスプリング１３の内側に配設された空気袋１９の取付部４０が外袋３１の装着代３８側に固定して取り付けられたことから、カフ帯１２の開操作時に、外袋３１と共に空気袋１９がカフ帯１２の開方向Ａへ引っ張られる。この結果、これらの外袋３１と空気袋１９との間に配置されるカフスプリング１３の剛性が高い場合にも、このカフスプリング１３をカフ帯１２の開方向Ａへ良好に移動させることができ、カフ帯１２の開操作を円滑に実施できる。
【００４１】
以上、本発明を上記実施の形態に基づいて説明したが、本発明はこれに限定されるものではない。
例えば、上述の実施の形態では、血圧計本体１１がカフ帯１２に取り付けられるものを述べたが、一般の血圧計のように、血圧計本体１１とカフ帯１２とが切り離されて別体に構成されたものでもよい。
【図面の簡単な説明】
【００４２】
【図１】本発明に係る手首用血圧計の一実施の形態を示す斜視図である。
【図２】図１のII‐II線に沿う断面図である。
【図３】図２のカフスプリングを示す平面図である。
【図４】図２のIV‐IV線に沿う断面図である。
【図５】図２のカフスプリングを示す斜視図である。
【図６】従来の手首用血圧計におけるカフスプリングを示し、（Ａ）が平面図、（Ｂ）が図６（Ａ）のＢ‐Ｂ線に沿う断面図である。
【符号の説明】
【００４３】
１  手首
１０  手首用血圧計
１１  血圧計本体
１２  カフ帯
１３  カフスプリング
１９  空気袋
２２  マウント部
２５、３５  挿通口
３２、３３  連通管
４０  空気袋の取付部
４２  カフスプリングの係止部
Ａ  カフ帯の開方向
Ｂ  血圧計本体から離れる方向
【図１】
2006158543.tif 000003
【図２】
2006158543.tif 000004
【図３】
2006158543.tif 000005
【図４】
2006158543.tif 000006
【図５】
2006158543.tif 000007
【図６】
2006158543.tif 000008